(57)【要約】      （修正有）【課題】設置された島の場所の周辺状況に係わらず、紙幣の取出しや内部の各種メンテナンス及び各種操作等が行えるようにする。【解決手段】前方に開口部１ａを有し、内部に紙幣回収ユニットＢ及びコントロールボックスＣが備えられた箱体１と、前記開口部を開閉する開閉扉２とを具備した紙幣回収金庫Ａであって、開閉扉は、前記開口部の下端側で前記箱体の幅方向と平行な軸を介して軸支されている。【選択図】図５
2020140375.tif 000002
【特許請求の範囲】
【請求項１】
前方に開口部を有し、内部に紙幣回収ユニット及びコントロールボックスが備えられた箱体と、前記開口部を開閉する開閉扉とを具備した紙幣回収金庫であって、前記開閉扉は、前記開口部の下端側で前記箱体の幅方向と平行な軸を介して軸支されていることを特徴とする紙幣回収金庫。
【請求項２】
前記コントロールボックスが、前記紙幣回収ユニットの上方に配置されていると共に、前記コントロールボックスの前端が、前記紙幣回収ユニットの紙幣収納部の後端よりも後方となるように配置されていることを特徴とする請求項１に記載の紙幣回収金庫。
【請求項３】
遊技場の島に配置される紙幣搬送システムであって、請求項１又は請求項２に記載の紙幣回収金庫及び台間機並びに紙幣搬送装置を少なくとも備えていることを特徴とする紙幣搬送システム。
【発明の詳細な説明】
【技術分野】
【０００１】
本発明は、搬送される紙幣を回収する紙幣回収金庫及びこの紙幣回収金庫を備えた紙幣搬送システムに関する。
【背景技術】
【０００２】
搬送される紙幣を回収・収納する紙幣回収金庫は、上下方向の軸を中心として平面視左右方向に開閉する開閉扉を有する箱体に、搬送される紙幣を回収・収納する紙幣回収ユニットやコントロールボックス等が内蔵され、開閉扉を開くことで収納された紙幣の取り出し、紙幣回収ユニットのメンテナンス、コントロールボックスの各種操作等を行うことができる構造のものが知られている（特許文献１参照）。
【先行技術文献】
【特許文献】
【０００３】
【特許文献１】特開２００２−１６６０３２公報
【発明の概要】
【発明が解決しようとする課題】
【０００４】
図９に示すように、特許文献１に記載された構成のような従来の紙幣回収金庫１００は、パチンコ、パチスロ（パチンコ型スロットマシン）等の遊技場Ｈにおいて、複数台の遊技機Ｐと遊技媒体貸機Ｓ１とで構成される島Ｌ１〜Ｌ３の島端部Ｌ１０、Ｌ２０、Ｌ３０に設置されている。
【０００５】
紙幣回収金庫１００は、島Ｌ１〜Ｌ３の裏側で遊戯媒体貸機Ｓ１が接続された紙幣搬送装置Ｓ２に接続されており、遊技媒体貸機Ｓ１に挿入されて紙幣搬送装置Ｓ２によって搬送される紙幣を回収・収納するようになっている。
【０００６】
しかしながら、従来の紙幣回収金庫１００は、島端部Ｌ１０、Ｌ２０、Ｌ３０から通路Ｈ１側に張り出すように設置されるため、設置された島Ｌ１〜Ｌ３の場所の周辺状況によっては、遊技場Ｈの壁面Ｈ２や通路Ｈ１の動線の関係で、開閉扉１０１の開閉方向を左開き又は右開きに変更する面倒な作業を要するという問題があった。
【０００７】
また、開閉扉１０１を開いたときに壁面Ｈ２が邪魔になり、開閉扉１０１を完全に開くことができず、紙幣の取出しや内部の各種メンテナンスや各種操作等が行い難くなってしまうという問題もあった。
【０００８】
前述のような問題から、設置された島の場所の周辺状況に係わらず、紙幣の取出しや内部の各種メンテナンス及び各種操作等が行えるようにすることが望まれている。
【課題を解決するための手段】
【０００９】
前述のような課題を解決するために本発明が採用した手段は、前方に開口部１ａを有し、内部に紙幣回収ユニットＢ及びコントロールボックスＣが備えられた箱体１と、前記開口部１ａを開閉する開閉扉２とを具備した紙幣回収金庫Ａであって、前記開閉扉２は、前記開口部１ａの下端側で前記箱体１の幅方向と平行な軸２０を介して軸支されていることを特徴とする紙幣回収金庫Ａにしたことである。
【００１０】
前記コントロールボックスＣが、前記紙幣回収ユニットＢの上方に配置されていると共に、前記コントロールボックスＣの前端Ｃ１が、前記紙幣回収ユニットＢの紙幣収納部Ｂ１の後端Ｂ１１よりも後方となるように配置されていることが好ましい。
【００１１】
遊技場Ｈの島Ｌ１〜Ｌ３に配置される紙幣搬送システムＳであって、前述の紙幣回収金庫Ａ及び台間機Ｓ１並びに紙幣搬送装置Ｓ２を少なくとも備えていることを特徴とする紙幣搬送システムＳにしたことである。
【図面の簡単な説明】
【００１２】
【図１】本発明に係る実施形態の紙幣回収金庫を実施した紙幣搬送システムの配置例を示す概略図である。
【図２】本発明に係る実施形態の紙幣回収金庫の斜視図である。
【図３】図２において開閉扉の全開状態を示す斜視図である。
【図４】図３において紙幣回収ユニットを引き出した状態を示す斜視図である。
【図５】図２の（５）-（５）線断面図である。
【図６】図５において開閉扉の全開状態を示す断面図である。
【図７】図５において開閉扉の半開き状態での、紙幣回収ユニットの引き出し状態を示す断面図である。
【図８】図５において開閉扉の半開き状態での、紙幣回収ユニットの紙幣収納部の位置を示す断面図である。
【図９】従来の紙幣回収金庫を実施した紙幣搬送システムの配置例を示す概略図である。
【発明を実施するための形態】
【００１３】
以下、本発明に係る実施形態の紙幣回収金庫Ａを図１〜図８に基づいて説明する。
【００１４】
紙幣回収金庫Ａは、図１に示すように、パチンコ、パチスロ等の遊技場Ｈの島Ｌ１〜Ｌ３の島端部Ｌ１０〜Ｌ３０に夫々設置されるものであり、島Ｌ１〜Ｌ３の夫々に配置された紙幣搬送システムＳの一部を構成するものである。
【００１５】
島Ｌ１〜Ｌ３は、複数台の遊技機Ｐを一定間隔で配置すると共に、遊技機Ｐに台間機Ｓ１を並設して構成され、島Ｌ１〜Ｌ３の裏側には、紙幣搬送装置Ｓ２が配置されている。
【００１６】
島Ｌ１、Ｌ３は、遊技機Ｐ及び台間機Ｓ１が壁面Ｈ２に沿って配列され、島Ｌ２は、遊技機Ｐ及び台間機Ｓ１が背中合わせで２列として配列されている。
【００１７】
紙幣搬送システムＳは、紙幣回収金庫Ａ及び台間機Ｓ１並びに紙幣搬送装置Ｓ２を備えており、台間機Ｓ１に挿入された紙幣ｂを紙幣搬送装置Ｓ２で搬送すると共に、搬送される紙幣を紙幣回収金庫Ａで回収・収納するものである。
【００１８】
台間機Ｓ１は、紙幣ｂの挿入を受け入れると共に、挿入された紙幣ｂを紙幣搬送装置Ｓ２に移送する紙幣受入装置、遊技媒体を発行する遊技媒体貸機としての機能を有する。
【００１９】
紙幣搬送装置Ｓ２は、台間機Ｓ１から移送された紙幣ｂを紙幣回収金庫Ａに搬送する機能を有し、遊技機Ｐの配列方向に沿って配置され、島Ｌ１〜Ｌ３の裏側で台間機Ｓ１が接続されていると共に、島端部Ｌ１０〜Ｌ３０において紙幣回収金庫Ａが接続されている。
【００２０】
尚、本発明では、紙幣搬送システムＳの台間機Ｓ１及び紙幣搬送装置Ｓ２の構成について限定するものではなく、台間機Ｓ１においては、紙幣ｂの挿入、受け入れ、遊技媒体貸機、遊戯媒体発行を行うことができ、紙幣搬送装置Ｓ２においては、台間機Ｓ１から移送される紙幣ｂを紙幣回収金庫Ａに搬送できる構造のものであればよい。
【００２１】
次に、紙幣回収金庫Ａについて説明する。紙幣回収金庫Ａは、図２〜図８に示すように、紙幣搬送装置Ｓ２で搬送される紙幣ｂを回収・収納する紙幣回収ユニットＢ及びコントロールボックスＣが内蔵された箱体１と、箱体１の開口部１ａを開閉する開閉扉２とを有している。
【００２２】
箱体１は、図５及び図６に示すように、後面に挿通口１ｂが設けられており、島端部Ｌ１０〜Ｌ３０に対して、挿通口１ｂが島端部Ｌ１０〜Ｌ３０に開口された連通口Ｌ１１〜Ｌ３１と連通するように取り付けられている。
【００２３】
挿通口１ｂ及び連通口Ｌ１１〜Ｌ３１は、紙幣搬送装置Ｓ２を紙幣回収ユニットＢに対して接続するためのものであり、紙幣搬送装置Ｓ２が挿通できるように形成されている。
【００２４】
紙幣回収ユニットＢは、紙幣搬送装置Ｓ２から移送される紙幣ｂを受け取り、受け取った紙幣ｂを紙幣収納部Ｂ１へ移送して紙幣収納部Ｂ１で収納する機能を有する。
【００２５】
このような紙幣回収ユニットＢは、図４〜図６に示すように、箱体１の底部１ｃに対して、レールＲを介して前後方向スライド自在に支持されており、メンテナンス等、必要に応じて箱体１の開口部１ａから出し入れできるようになっている。
【００２６】
また、紙幣回収ユニットＢは、紙幣回収ユニットＢの前方に配置された紙幣収納部Ｂ１の前端Ｂ１０が、箱体１の開口部１ａから前方へ突出しない程度で開口部１ａの付近に位置するように配置されている。
【００２７】
コントロールボックスＣは、遊技機Ｐ、台間機Ｓ１、紙幣搬送装置Ｓ２、紙幣回収ユニットＢ等の各機器の動作を制御する制御部（図示せず）が備えられており、この制御部により、各機器の動作設定、動作状態表示、動作警告等を行うようにされている。
【００２８】
コントロールボックスＣは、図５及び図６に示すように、箱体１に対して、紙幣回収ユニットＢの上部、且つコントロールボックスＣの前端Ｃ１が紙幣収納部Ｂ１の後端Ｂ１１よりも後方に配置されており、図２及び図３に示すように、前端Ｃ１に表示部Ｃ１０や操作スイッチＣ１１等が配置されている。
【００２９】
このような紙幣回収ユニットＢとコントロールボックスＣの配置形態により、開閉扉２の開状態において、紙幣収納部Ｂ１の上部開口Ｂ１２が露出することになり、紙幣回収ユニットＢを引きださなくても、紙幣収納部Ｂ１から紙幣ｂを取り出すことができる。
【００３０】
開閉扉２は、開口部１ａの前方に配置され、開口部１ａの下端側で箱体１の幅（左右）方向と平行な軸２０により軸支されていると共に、箱体１と開閉扉２とにわたるように軸支された開閉リンク部２１によって支持されている。
【００３１】
このような開閉扉２は、軸２０を中心として回転して開閉動すると共に、開閉リンク部２１によって、開閉扉２の開度が箱体１の上下方向に対して９０度の位置（全開、図６参照）で支持され、全開位置において紙幣収納部Ｂ１及び引き出された紙幣回収ユニットＢの直下に位置する。
【００３２】
開閉扉２は、図３、図４、図６に示すように、基本的には、全閉（０度、図５参照）状態と全開（９０度、図６参照）状態とで開閉動するようにした構成であるが、図７に示すように、周辺状況によって全開状態にできない場合にも、半開き状態で紙幣回収ユニットＢの引き出しや紙幣ｂの取出しが可能であり、図８に示すように、防犯上のために半開き状態で紙幣ｂの取出しが可能である。
【００３３】
開閉扉２の開閉動については、全閉と全開との開閉途中での設定された位置、或いは任意の位置で、開閉扉２の半開き状態を保持できると共に、保持解除できるようにした構成（例えば、図７や図８に示す程度の半開き状態）としてもよい。
【００３４】
開閉扉２の半開き状態を保持できる構成の場合、半開きの状態において、紙幣回収ユニットＢをメンテナンスができる程度に引き出せる開度であることが好ましい（例えば、図７に示す程度の開度）。
【００３５】
また、開閉扉２の半開き状態において、少なくとも、紙幣収納部Ｂ１から紙幣ｂを取り出せることができる開度であることが好ましい（例えば、図８に示す程度の開度）。
【００３６】
尚、開閉扉２の半開き状態を保持及び保持解除する構造については、限定されるものではない。
【００３７】
開閉扉２は、表面板に表示部Ｃ１０と正対するように配置された確認窓２０ｃと、確認窓２０ｃの上方に設けられた施錠部２１ｃと、表面板の裏面側に取り付けられ、確認窓２０ｃと表示部Ｃ１０とにわたるように配置された筒体２２ｃとを有している。
【００３８】
確認窓２０ｃは、透明な板材によって塞がれており、開閉扉２の外側から表示部Ｃ１０を視認できると共に、開閉扉２を開かない限り、外側から手が入らないようにされている。施錠部２１ｃは、鍵（図示せず）によって、開閉扉２の施錠・開錠が行われる。
【００３９】
筒体２２ｃは、確認窓２０ｃから離間している表示部Ｃ１０の視認性を向上させるものであり、開閉扉２の閉塞状態において、確認窓２０ｃと表示部Ｃ１０とにわたる範囲を閉塞して暗部とすることで、表示部Ｃ１０での光による表示をはっきりと視覚させることができるようになっている。
【００４０】
開閉扉２の開閉方向が、箱体１の左右方向と平行な軸を中心とする上下方向の回転方向であるので、開閉扉２の開閉方向の変更作業をすることなく、しかも、開閉扉２が完全に開かれていない状態でも、紙幣ｂの取出しや内部の各種メンテナンスや各種操作等が行えるように設置できる。
【００４１】
また、開状態での開閉扉２が、紙幣収納部Ｂ１の直下、且つ引き出された紙幣回収ユニットＢの直下に位置しているため、紙幣回収ユニットＢの左右側面が開放されるので、紙幣ｂの取出しやメンテナンスが行いやすく、しかも、紙幣ｂや部品を落としたりしても、開閉扉２で受け止めることができる。
【００４２】
また、紙幣回収ユニットＢとコントロールユニットＣとの配置形態によって、紙幣収納部Ｂ１の上部開口Ｂ１２が露出しているため、開閉扉２が半開き状態でも、紙幣収納部Ｂ１から紙幣ｂを取り出すことができるので、紙幣ｂの回収作業時の防犯及び作業効率向上が期待できる。
【００４３】
そして、このようなを備えた紙幣搬送システムＳによると、遊技場Ｈに設置された島Ｌ１〜Ｌ３の場所の周辺状況に係わらず、紙幣の取出しや内部の各種メンテナンス及び各種操作等を行うことができるように設置でき、これによって、島Ｌ１〜Ｌ３のレイアウト等に関する設計自由度を高めることができる。
【００４４】
紙幣回収ユニットＢとコントロールユニットＣとの配置形態については、前述した配置形態に限らず、コントロールユニットＣが紙幣収納部Ｂ１の上部開口Ｂ１２を塞ぐように配置された形態としてもよい（図示せず）。
【００４５】
このような配置形態の場合でも、紙幣回収ユニットＢを紙幣収納部Ｂ１の上部開口Ｂ１２が露出する程度、或いは紙幣収納部Ｂ１が開口部１ａから前方に突出する程度に引き出せば紙幣ｂを取り出すことができるので、開閉扉２が半開き状態で紙幣ｂの取出しを行うことができる。
【００４６】
以上、本発明の実施形態について図面を参照して詳述してきたが、具体的な構成は、これらの実施の形態に限られるものではなく、本発明の要旨を逸脱しない範囲の設計の変更等があっても本発明に含まれる。
【００４７】
また、前述の各実施形態は、その目的及び構成等に特に矛盾や問題がない限り、互いの技術を流用して組み合わせることが可能である。
【符号の説明】
【００４８】
Ａ：紙幣回収金庫
Ｂ：紙幣回収ユニット
Ｂ１：紙幣収納部
Ｃ：コントロールボックス
Ｃ１：前端
Ｂ１１：後端
１：箱体
１ａ：開口部
２：開閉扉
２０：軸
Ｈ:遊技場
Ｌ１:島
Ｌ２:島
Ｌ３:島
Ｓ:紙幣搬送システム
Ｓ１:台間機
Ｓ２:紙幣搬送装置
【図１】
2020140375.tif 000003
【図２】
2020140375.tif 000004
【図３】
2020140375.tif 000005
【図４】
2020140375.tif 000006
【図５】
2020140375.tif 000007
【図６】
2020140375.tif 000008
【図７】
2020140375.tif 000009
【図８】
2020140375.tif 000010
【図９】
2020140375.tif 000011